(57)【要約】【課題】  電子機器装置間を接続する遮蔽構造を備えた接続配線または接続ケーブルの外部導体に現れる伝導性高周波電流および共振性高周波電流を低減するとともに電磁波の輻射低減に関する分野において、更なる電磁波輻射の低減要求が高まっている。【解決手段】  波長共振を利用した低インピーダンス負荷を接続することで高周波電流を分流そして遮蔽、また高インピーダンス負荷とのフィルタ回路状負荷配置によりその低減効果が上がり、電磁波輻射の低減が得られる。【選択図】  図１
2005142694.tif 000002
【特許請求の範囲】
【請求項１】
伝導性と共振性の高周波電流で満たされる遮蔽構造の接続配線またはケーブルの外部導体に外部導体とアース共通接続しない遮蔽構造を備えた低インピーダンス負荷を１つ以上接続することと、  前記外部導体に高インピーダンス負荷を１つ以上接続することと、それらのインピーダンス負荷をパイ形またはＴ形のフィルタ回路状に負荷配置することにより高周波電流の低減および電磁波輻射の低減に寄与することを特徴とする高周波電流低減および電磁波輻射低減方法。
【請求項２】
前記請求項１の伝導性と共振性の高周波電流で満たされる遮蔽構造の接続配線またはケーブルの外部導体に外部導体とアース共通接続しない遮蔽構造を備えた低インピーダンス負荷を１つ以上接続することにより高周波電流を分流した低インピーダンス負荷からの電磁波の輻射低減に寄与することを特徴とする電磁波輻射低減方法。
【請求項３】
前記請求項１の伝導性と共振性の高周波電流で満たされる遮蔽構造の接続配線またはケーブルの外部導体に外部導体とアース共通接続しない低インピーダンス負荷を１つ以上接続することにより高周波電流の分流に寄与することを特徴とする高周波電流低減方法。
【請求項４】
前記請求項１の時々刻々と変化し定まり難い高周波電流に対して、高インピーダンス負荷、低インピーダンス負荷、分流部、フィルタ回路状負荷部を組み合わせ結合のコネクタ接続構造とすることにより、相対的対応可能な低減手段を備えたことが特徴のアダプタ交換方法。
【請求項５】
両端に同軸コネクタを備えた屈曲性の優れた編組線ハンダコート無継目金属チューブ構造外部導体同軸ケーブルの外部導体に、前記請求項１のフェライトコア使用の高インピーダンス負荷またはフィルタ回路状負荷部を備えることが特徴の負荷アダプタ。
【請求項６】
長さがそれぞれ異なる同軸線路を一本以上備え、それら同軸線路の外部導体両端に抵抗器を接続することと、それら同軸線路の中心導体の片端を共通接続することと、前記それらの中心導体の片端を開放端子とすることと、前記共通接続部を入力端子とすることにより、同軸線路による低インピーダンス負荷手段を備えたことを特徴とする低インピーダンス負荷。
【請求項７】
外部導体に前記請求項１の負荷によるフィルタ回路状負荷配置部分を１つ以上備えることを特徴とする遮蔽構造を有する接続配線または接続ケーブル。
【請求項８】
請求項７の遮蔽構造を有する接続配線または接続ケーブルに接地用端子を設けることを特徴とする遮蔽構造を有する接続配線または接続ケーブル。
【請求項９】
無継目金属チューブ構造外部導体同軸ケーブルの外部導体表面に細線を密着巻きつけまたは編組線を密着包み込み構造とすることにより外部導体表面の伝導性の高周波電流を低減することを特徴とする無継目金属チューブ構造外部導体同軸ケーブルの外部導体表面構造。
【発明の詳細な説明】
【技術分野】
【０００１】
本発明は低インピーダンス負荷技術による電子機器装置間を接続する遮蔽構造を備えた接続配線または接続ケーブルの外部導体に現れる伝導性高周波電流および共振性高周波電流を低減するとともに電磁波の輻射低減に関する。
【背景技術】
【０００２】
アナログ電話機の時代から電話機の受信感度の低下原因となる電磁波輻射（高周波信号漏洩）の低減要求がある。最近、デジタル方式の携帯電話機の普及に伴い無線通信品質の確保若しくは送信パワーの低減化若しくは生活環境の清浄化若しくはＶＣＣＩ適合の要求が重なり、電子機器装置および遮蔽構造を備えた接続配線からの電磁波輻射（高周波ノイズ）を低減しようとする動きがさらに高まっている。本発明は、遮蔽構造を備えた接続配線からの電磁波輻射の低減技術に関する。従来から接続配線または接続ケーブルの分野において知られている電磁波輻射低減技術は、遮蔽と伝導防止である。
【０００３】
始めに遮蔽について、高周波電流が接続配線または接続ケーブル流れた時に電磁界が生じその広がりが電磁波の輻射につながることは知られている。その電磁波の輻射を低減させるというねらいのもとにその電磁界の広がりを遮断する技術方法が遮蔽（静電シールド）である。例えば、外部導体（二重の編組線）で接続配線を遮蔽する方法は、遮蔽構造を備えた多芯接続線または同軸ケーブルとして一般的に普及した商品である。
【０００４】
次に伝導防止について、電磁波輻射の一般的なトラブル過程は、前記遮蔽構造を備えた多芯接続線または同軸ケーブルの外部導体（アース）と電子機器装置のアースとを接続することから始まる。前記外部導体は遮蔽するためのものなので、それを電子機器装置のアースと接続することは遮蔽の閉路構造作りにつながるので強固な遮蔽作り方法として知られている。ところが、たいていの電子機器装置のアースは高周波電流が充満する高電位アースと化しているために、アース接続をした結果、電子機器装置に充満していた高周波電流は遮蔽構造を備えた接続配線または接続ケーブルの外部導体を伝導し外部導体から電磁波を輻射する事態となる。従来からある高周波電流の伝導防止対策として、外部導体にフェライトコアを使った高インピーダンス負荷の配置は、一般的な技法となっている。若干、物理的な面および高周波的な面での構築の難しさを有しているが一般に普及している。
【０００５】
用語の補足説明、本発明の対象物がアースそのものである。それに伴う呼称の複雑化を避ける処置として、「外部導体」に全てのアース呼称を統一する。例えば、アースでないアース、比較的高電位なアース、電子機器装置のアース、電子機器装置のパネル部分、接続配線のアース、接続線のアース線、接続配線の編組線、接続配線の外部導体、接続ケーブルの編組線、編組線、外部導体、アース、遮蔽アースなどがある。編組線で遮蔽するとは、外部導体で遮蔽すると同義語である。例えば、同軸ケーブルの外部導体、束線の編組線遮蔽がある。電磁波輻射の原因は、外部導体の高周波電流、電子機器装置の高周波信号漏洩、高周波ノイズ、これらは同義語である。
【発明の開示】
【発明が解決しようとする課題】
【０００６】
前記背景技術において、外部導体による遮蔽およびフェライトコアによる高インピーダンス負荷配置の技法を紹介した。しかし、両技術とも物理的な理由により遮蔽が完全に出来ない状況にあった。そのために、電磁波輻射低減の要求が顕在している。本発明が解決しようとする目的は、外部導体の高周波電流の低減と電磁波の輻射低減である。
課題として、低インピーダンス負荷の実現とその低インピーダンス負荷の総合的な利用方法とする。
【課題を解決するための手段】
【０００７】
本発明が対象とする外部導体およびその高周波電流の特徴について、対象物の外部導体は一般的なアースである、外部導体の物理的形態は様々ある、複数の高周波電流源が想定される、高周波電流の流れる向きは周波数により逆方向に変化する。時々刻々変化する高周波電流である、高周波電流源までの距離とか整合の考え方はできない、電子機器装置のパネル（アース）から外部導体長さ総体をアンテナとしてとらえる、そのアンテナは大地間と電磁界結合する電磁波が存在する、総合して電子機器装置の長さ部分や接続配線の外部導体長さで共振しているアンテナである。
【０００８】
それらの特徴から作られる低インピーダンス負荷のイメージについて、電子機器から高周波電流が流れ込まない配置とする。低インピーダンス負荷は従来技術の不足を補う形で利用する。低インピーダンス負荷に外部導体からの高周波電流を流し込む方法とする。低インピーダンス負荷に更なる広帯域化が必要な場合は遮蔽アースと大地アースとを接続する。周辺機器とはアース接続しない。外部導体との接触は、高周波電流を引き込むための低インピーダンス負荷入力端子だけとする。
【０００９】
基本技術手段１、高周波的な視点からするとある長さ線は先端開放の単純な狭帯域共振器である。外部導体にそのある長さ線を接続すると高周波電流が流れ、波長共振の周期に従い共振電流が流れる。従って、外部導体に高周波電流の分流があり、低インピーダンス負荷接続があったと考えられる。
【００１０】
基本技術手段２、前記ある長さ線と結合する両端開放の長さ線路を備え、その長さ線路に抵抗器電力消費部を有する閉回路を接続する。簡単に表すと、前記ある長さ線と電力消費形の負荷回路とを結合させる方法である。その結合を強くしたり抵抗値を調整することで共振時の選択度特性は低下し、広帯域性をもった高周波電流の分流となる。反面選択度特性を低下させれば放射効率が低下するという関係にあり、調整を要する。
【００１１】
低インピーダンス負荷手段について、本発明は、分流ポイント以降の外部導体の高周波電流が分流により低減することからして電磁波輻射の低減としている。また、低インピーダンス負荷へ高周波電流を分流し、それを遮蔽することにより電磁波輻射の低減としている。本発明の低インピーダンス負荷は小型化が可能、開放部は片端だけなので遮蔽がし易い利点がある。一方、従来からの高インピーダンス負荷は両端開放部のために遮蔽しにくい欠点がある。本発明のある長さ線は特性インピーダンスを定めていないのでその形を単純な直線にすることだけでなく、自由自在に長さを変えたり、分岐したりすることが容易である。例えば、ある長さ線をスパイラル状にし楕円偏波を応用し広帯域化をはかること、また接続線と同一長さのバイパス線を接続する方法もある。
【００１２】
総合技術手段について、本発明は、アースを共有しないこともありフィルタ回路と言わず、フィルタ回路状組み合わせと称している。高インピーダンス負荷と遮蔽した低インピーダンス負荷とをフィルタ回路状組み合わせすることにより分流効率のアップが可能。電子機器装置のアースから外部導体へ流れ込む高周波電流量が増える場合もあるので高インピーダンス負荷との組み合わせ活用が有効である。電子機器装置と接続配線の接続付近に高インピーダンス負荷を配置し電子機器装置から流れ込む高周波電流を効率よく低減できる。分流ポイントを避けて通過しようとする高周波電流に対しては低インピーダンス端子を巻きつける構造としたりそのすぐ近くに高インピーダンス負荷を配置したりする。
【発明の効果】
【００１３】
本発明の低インピーダンス技術と従来技術との組み合わせにより高周波電流の低減および電磁波輻射の低減ができる。今後、低インピーダンス負荷の広帯域化改善を進めることにより遮蔽構造を備えた接続配線または接続ケーブルの高周波電流低減技術は、電磁波環境問題分野の改善対策やＥＭＣ測定の分野に役立つ。
【発明を実施するための最良の形態】
【００１４】
図１は本発明の実施の形態の一例を表す構成図であり、請求項１に関する一例である。
但し、図面の全てが実寸と異なるので注意。図１は、電子機器装置Ａ１で発生した伝導性高周波電流Ａ４はアースを伝導し、遮蔽構造を備えた機器間接続配線または接続ケーブル３の外部導体３１にもぐり込む、その伝導性と共振性を備えた伝導性高周波電流Ａ４はフィルタ回路状負荷配置部Ａ６により減衰し、低減された高周波電流８となることを示している図である。そのような電子機器装置と接続ケーブルの様相はまさに高周波電流源とアンテナの関係によく似ている。例えば、接続ケーブルの取り付け位置を電子機器装置の底辺側に配置することの方がＥＭＣ測定値を低くすることができる。また、高インピーダンス負荷をローディングコイルと見たときのその配置においてセンターローディングよりも基部ローディング方法の方がＥＭＣ測定値を低くすることができる。このように、前記高周波電流源とアンテナの関係によく似ている現象が多いことがわかる。図１の接続に供した遮蔽構造を有する接続配線または接続ケーブルが請求項７および請求項８に関する一例である。
【００１５】
図２は、高インピーダンス負荷と低インピーダンス負荷をＴ形フィルタ回路状に配置することに関する一例である。図３は、その回路図である。
図４は、先端開放のある長さ線路の電圧（Ｅ）電流（Ｉ）分布を表す図である。先端はＲ＝Ｅ／Ｉのオームの法則に従いＲ（抵抗）が無限大である。
【図面の簡単な説明】
【００１６】
【図１】本発明の請求項１の実施の形態を表す構成図でその一例
【図２】本発明に係るＴ形フィルタ回路状負荷配置の実施の形態を表す構成図でその一例
【図３】本発明に係るＴ形フィルタ回路状負荷配置の実施の形態を表す回路図でその一例
【図４】本発明に係る理論、先端開放のある長さ線路の電圧電流分布を表す図
【符号の説明】
【００１７】
１電子機器装置Ａ
２電子機器装置Ｂ
３遮蔽構造を備えた機器間接続配線または接続ケーブル
４伝導性高周波電流Ａ
５伝導性高周波電流Ｂ
６フィルタ回路状負荷配置部Ａ
７フィルタ回路状負荷配置部Ｂ
８低減された高周波電流
３１機器間接続配線または接続ケーブルの外部導体（編組線）
６１高インピーダンス負荷Ａ
６２高インピーダンス負荷Ｂ
６３遮蔽した低インピーダンス負荷
６４高周波電流分流ポイント
【図１】
2005142694.tif 000003
【図２】
2005142694.tif 000004
【図３】
2005142694.tif 000005
【図４】
2005142694.tif 000006